(57)【要約】配電網内の通信システム越しに仮想ローカルエリアネットワークを実現する方法であって、仮想ネットワーク（ＶＬＡＮ）上の８０２．１ｑ標準および１以上の深さの独立したプロプライエタリ仮想ネットワーク（ＯＶＬＡＮ）のそれらの間のインタフェースなしのサポートを容易にする。また上記方法は、ＯＶＬＡＮ識別番号タグ（３）を各深さへの割り当て；フレームに対して透過な外部タグの包含；タグ付けされていないフレーム内の外部タグ（３）の包含、および、上記タグと、装置の出力インタフェースの許可されたタグまたは禁止されたタグのリストとの比較；および、上記装置により検出されたとき、上記装置にフレームを直接送信させて、方向性をもつ階層的構造を可能にする特別な識別番号タグの包含をふくむので、階層的構造もサポートできる。
2006502637.tif 000002
【特許請求の範囲】
【請求項１】
配電網内の通信システム越しに仮想ローカルエリアネットワークを実現する方法であって、上記配電網に接続された種々の装置（２）の間をフレームが送信され；上記装置（２）は、上記フレーム内の予約された空間に識別番号タグを挿入して、上記フレームがＶＬＡＮに属することを示すことからなる仮想ローカルエリアネットワーク（ＶＬＡＮ）に関する標準８０２．１ｑをサポートし、上記フレームが上記装置により受信されたとき、上記フレームがタグ付けされていると、上記装置は、上記タグを、上記装置の出力インタフェースで許可されたタグのリストと比較し、フレームがタグ付けされていないと、上記装置は比較の前にタグ付けを実行し；
多重構造、階層的ＯＶＬＡＮおよび異なる深さを可能にするために実現されるＯＶＬＡＮの各深さに関するプロプラエタリ仮想ローカルエリアネットワーク（ＯＶＬＡＮ）識別番号タグ（３）の割り当て；
上記フレームにとって透過的な外部タグ（３）の包含；
タグ付けされていないフレーム内の外部タグ（３）の包含、および、上記タグと、上記装置の出力インタフェースの許可されたタグまたは禁止されたタグのリストとの比較；および
上記装置（２）により検出されたとき、上記装置にフレームを直接送信させて、階層の中の同じ深さの異なるＯＶＬＡＮに属する装置が階層の中の同じ深さの残りのＯＶＬＡＮの装置へのパケットを受信または送信できないけれども、上記装置が同じＯＶＬＡＮの上位の階層の装置へのパケットを送信でき、上記上位の階層の装置からのパケットを受信できる方向性をもつ階層的構造を可能にする特別な識別番号タグ（ＡＬＬＶＬＡＮ）の包含
を含むことを特徴とする方法。
【請求項２】
より上位の階層から上記階層の装置へ上記フレームが入力されるとき、１つの深さの識別番号タグ（３）が付加されることを特徴とする請求項１に記載の方法。
【請求項３】
上記フレームが上記階層の装置からより上位の階層へ出るときに上記１つの深さの識別番号タグが抽出されることを特徴とする請求項２に記載の方法。
【請求項４】
上記フレーム内の送信されるトラフィックが属するＯＶＬＡＮの数をＯＶＬＡＮの上記識別番号タグが含むことを特徴とする請求項１に記載の方法。
【請求項５】
上記識別番号タグが、禁止されたタグのリストの中にあるか、または許可されたタグのリストの中にない場合、上記フレームを破棄するために、送信識別番号タグのリストが、許可されたまたは禁止されたリストから選択的に構成されることを特徴とする請求項１に記載の方法。
【請求項６】
上記ＯＶＬＡＮを上記配電網に制限するために、上記フレームが上記配電網から出るとき、ＯＶＬＡＮの上記識別番号タグが抽出されることを特徴とする請求項１に記載の方法。
【請求項７】
ＶＬＡＮを、配電網に接続されていない装置へ拡大するために、上記フレームが上記配電網を離れるときに、ＯＶＬＡＮの上記識別番号タグが送信されることを特徴とする請求項１に記載の方法。
【請求項８】
送信において、フレームの上記識別番号タグ（３）がＡＬＬＶＬＡＮ特別識別番号タグであるとき、上記装置が送信タグのリストを調べずに上記フレームが直接送信されることを特徴とする請求項１に記載の方法。
【発明の詳細な説明】
【技術分野】
【０００１】
本発明は、発明の名称が示すように、配電網の中の通信システム上に仮想ローカルエリアネットワーク（ＬＡＮ）を実現するための方法に関する。
【背景技術】
【０００２】
複数の仮想ローカルエリアネットワーク（ＬＡＮ）の使用は、最先端であると知られている。これらは、互いに通信可能である装置により形成されるネットワークであるけれども、上記装置の物理的位置により限定されず、むしろネットワークの異なる物理セグメントに存在するけれども、あたかもローカルエリアネットワーク（ＬＡＮ）の同じ物理セグメントに物理的に接続されているように通信可能であり、たとえ同じ物理セグメントに接続されていても別のＶＬＡＮに属する装置から隔離可能である。仮想ネットワークのおかげで、仮想ワークグループを作成することと、ＶＬＡＮの物理セグメントの間の装置の輸送費用を削減することと、能力の低いことの多いＯＳＩ（開放型システム間相互接続）第３層ルータの費用を削減することと、全てのユーザに向けられたトラフィックすなわちブロードキャストトラフィックおよび複数のグループの複数のユーザに向けられたトラフィックすなわちマルチキャストトラフィック量を削減することとを可能にする。ＯＳＩは、ＩＳＯ（国際標準化機構）により、複数の層に基づいてコンピュータのためのプロトコルを標準化する第１のステップ、すなわちオープンシステムを他のシステムとの通信に接続するモデルとして作成された参照モジュールである。
【０００３】
必要以上の帯域幅を使用せずにブロードキャストおよびマルチキャストトラフィックを達成するために、コンピュータの大きなネットワークを小さな部分へ分割する方法の問題点について扱うために開発されたＩＥＥＥ８０２．１ｑ標準に続いて、複数のＶＬＡＮの使用は最先端であると知られている。さらに、この標準は、上記ネットワークの内部セグメント間のより高度なセキュリティレベルをもたらす。
【０００４】
８０２．１ｑに関する仕様書は、イーサネットフレーム内のＶＬＡＮに属する情報を挿入する方法を確立する。ＶＬＡＮネットワーク内では、ブロードキャストおよびマルチキャストトラフィックは全ての末端の端末へ運ばれるけれども、もしフレーム内に示されたＶＬＡＮにユーザが属さなければ、そのフレームは破棄されるので、このトラフィックはＶＬＡＮの制限を超えることはできない。したがって、仮想ネットワークの種々の深さを実現することは不可能であり、定義可能な仮想ネットワークの数は減少し、上記標準の上記仕様書に続く方向性をもつ階層構造を達成できない。したがって、この標準は、階層構造が使用される配電網越しの通信システムに適していない。
【０００５】
８０２．１ｑは、イーサネットフレーム内に特定のビットを加えてＶＬＡＮに属する装置を認識するタグ付けを実現することに基づいている。
【０００６】
これらの特定のビットは「タグヘッダ」として知られ、仮想識別番号ＶＩＤを含む。したがって、８０２．１ｑ標準は、各イーサネットフレームに対しＶＩＤをもつ１つの「タグヘッダ」を付加するのみなので、深さ１のＶＬＡＮを可能にするだけである。
【発明の開示】
【０００７】
本発明の主な考えは新しいＶＬＡＮアーキテクチャの開発であり、本発明は、仮想ネットワーク用の８０２．１ｑ標準をサポートし、かつ、配電網のノード用のプロプライエタリ（ｐｒｏｐｒｉｅｔａｒｙ）ＶＬＡＮ（ＯＶＬＡＮ）と呼ぶ。
【０００８】
本発明の目的は、複数の深さのＯＶＬＡＮが得られることを可能にし、階層的仮想ネットワークを可能にし、配電網越しの通信システム内の通常のトポロジーにとって適切である。なぜなら、このトポロジーは、木構造、すなわち階層的である。さらに、本発明のもう１つの目的は、ある階層にある装置が、同じ階層にある他の装置を見ることができないけれども、上位の階層にある装置を見ることができるような階層的構造の方向性の導入を可能にする。本発明の方法により、ＯＶＬＡＮおよび８０２．１ｑ標準で定義されるネットワークは互換性があり、インタフェースなしで並列に動作可能である。
【０００９】
これらの目的を達成するため、および前の段落で示された不都合を避けるために、本発明は、配電網越しの通信システム内のＶＬＡＮを実現する新しい方法を開発した。本発明による通信システムでは、配電網に接続された異なる装置の間をフレームが送信される。上記装置は、上記フレーム内の予約された空間に識別番号タグを挿入して、上記フレームがＶＬＡＮに属することを示すことからなる前の段落で説明したＶＬＡＮ標準８０２．１ｑをサポートするので、上記フレームが上記装置により受信されたとき、もしフレームがタグ付けされていると、上記装置は、上記タグを、上記装置の出力インタフェースで許可されたタグのリストと比較し、もしフレームがタグ付けされていないと、比較の前にタグ付けを実行する。
【００１０】
本発明の新規性は、
多重構造、階層的ＯＶＬＡＮおよび異なる深さを可能にするために実現されるＯＶＬＡＮの各深さに関するＯＶＬＡＮ識別番号タグの割り当て；
上記フレームにとって透過的な外部タグの包含；
タグ付けされていないフレーム内の外部タグの包含、および、もしフレームがノードから到着し、そのフレームが上記ノードに関する禁止されたＯＶＬＡＮのタグをもつポートまたは上記ノードに関する許可されたリストにないタグをもつポートによるアドレス宛であると、上記フレームが破棄されるように、上記タグと、上記装置の出力インタフェースの許可されたタグまたは禁止されたタグのリストとの比較；および
上記装置により検出されたとき、これらの装置にフレームを直接送信させて、階層の中の同じ深さの異なるＯＶＬＡＮに属する装置が階層の中の同じ深さの残りのＯＶＬＡＮの装置へのパケットを受信または送信できないけれども、上記装置が同じＯＶＬＡＮの上位の階層の装置へのパケットを送信および受信できる方向性をもつ階層的構造を可能にする特別な識別番号タグの包含
を含むことを特徴とする。
【００１１】
この方法は、各仮想ネットワークに関して異なるエンドポイント（末端）の隔離を可能にする重要な利点を備えているので、各エンドポイントに所属するユーザが他の仮想ネットワークからアクセス不可能である。この事実は、各端末装置に関する異なるＶＬＡＮを暗示し、上記端末装置は、８０２．１ｑ標準で構成可能なネットワークの数を、配電網越しの多くの用途に関して超え、上記標準により示された欠点を克服する。
【００１２】
したがって、特別なタグ付けによりタグ付けされたフレームが、出力タグリストを変更する必要なしに仮想ネットワークの任意のノードに到達できるので、特別なタグ付けは、８０２．１ｑ標準では考えられなかった特徴である方向性を実現する。
【００１３】
これは、複数の層の複数のＯＶＬＡＮを可能にする。したがって、簡単なアプリケーションで配電網越しの通信を容易にし、その構造は木または階層形状である。さらに、本発明は配電網越しの方法を可能にする。
【００１４】
本発明は、８０２．１ｑ標準のＶＬＡＮから独立した構造を可能にするか容易にするし、外部に、イーサネットフレームに対して透過であるようにタグが付加されたとき、情報が上記イーサネットフレームとともに送信され、上記イーサネットフレームを変更しないという事実のため、本発明はインタフェースなしに、上記標準と並列して機能する。
【００１５】
本発明は、８０２．１ｑ標準および本発明により定義されるネットワークが存在するトポロジーの組合せを可能にして、両技術をサポートする複合型のトポロジーを作る。
【００１６】
したがって、本発明はイーサネットフレームを変更せず、上記標準と互換性をもつ。
【００１７】
特別な識別番号タグにより、上記フレームは、破棄されることなくＯＶＬＡＮの任意のノードに到着できる。
【００１８】
上位の階層から下位の階層の装置にフレームが入ったとき、深さの識別番号タグが加えられ、上記深さの識別番号タグは、フレームがこの深さの装置から上の深さの装置へ出たときに抽出される。
【００１９】
ＯＶＬＡＮ識別番号タグは、フレームで送信されるトラフィックの属するＯＶＬＡＮの数を含む。
【００２０】
本発明の１つの実施の形態では、フレームが配電網を離れたときにＯＶＬＡＮを上記配電網に制限するためにＯＶＬＡＮ識別番号タグが抽出される。
【００２１】
送信識別番号タグのリストは、許可されたないしは禁止されたタグのリストから選択的に構成されるので、もし識別番号タグが禁止されたリストにあるか、許可されたリストになければ、フレームは無視される。
【００２２】
もう１つの実施の形態では、フレームが配電網を離れて、ＶＬＡＮを配電網に接続されていない装置へ拡大するときに、ＯＶＬＡＮ識別番号タグが送信される。
【００２３】
送信中に、フレームの識別番号タグが特別な識別番号タグであるとき、フレームは、装置の送信タグのリストの検査なしに直接送信される。
【発明を実施するための最良の形態】
【００２４】
以下、添付の図を参照して発明の実施の形態を説明する。
【００２５】
電気エネルギーは、高電圧網、中電圧網越しに送電され、最後に低電圧網により使用者に配電される。中電圧としても知られる中電圧網は、一般的に、相互接続された中電圧から低電圧への変圧器である。
【００２６】
低電圧網は木構造をもつ傾向があるので、配電網越しの通信システムを使用したとき、ヘッドエンド装置が、中電圧の低電圧網への配電を可能にする中電圧から低電圧への変圧器に設けられるけれども、リピータおよびユーザ装置は、ネットワーク状の異なるポイントに位置し、双方向にヘッドエンドと通信する。この場合、深さ１から深さ３のような図１に示される独立仮想ネットワークの種々のレベルを創るのに便利である。そのようなネットワークは、本発明の背景技術の部分で説明したように、８０２．１ｑ標準は１つの深さしかサポートしないので、８０２．１ｑ標準を使用して構築できない。
【００２７】
したがって、標準に依存しない仮想ネットワークの実現方法を創る必要があり、その原理的特徴は、送信フレーム内に１以上の外部タグ３を設けることから成る。これは図４に示されており、後に説明する。図４では、参照番号３ａが深さＮのタグを表し、３ｂが深さＮ−１のタグ、３ｃが深さ１のタグを表す。図４に示されているように、外部タグ３は、配電網越しに送信されるフレーム４に付加され、フレームが上記配電網を離れるときにフレーム４の上記外部タグ３を削除するので、上記深さおよび仮想ネットワークの作成は配電網に対して透過である。
【００２８】
この解決法は、１または種々の異なる深さのインターフェイスなしに別々に動作可能なプロプライエタリ仮想ネットワーク（ＯＶＬＡＮ）として知られる独立した仮想ネットワークの使用を可能にする。したがって、ＯＶＬＡＮを含むことにより、配電網越しの通信システムに適用可能な仮想ネットワークの複数の構成を可能にする。可能な構成の１つは、単に仮想ネットワークを使用しないことにある。つまり、各ユーザは、任意の他のユーザを、配電網により通信ノード２に接続されたローカルエリアネットワーク（ＬＡＮ）内に見ることができる。もう１つの可能性は、ネットワークがクライアントにより構築される８０２．１ｑ標準を使用することか、ノード２のグループにより１つのＶＬＡＮを構築することか、ノード２のグループにより１より多いＯＶＬＡＮを構築することかであるので、トラフィックが、配電網の１以上のノードを含むことのできるこのグループ内に維持される。もう１つの可能性として、ＯＶＬＡＮが配電網の中に維持可能であって、階層的、平面的または複合的な構造をもってもよい。
【００２９】
階層的構造は、上に示したように低電圧網では典型的な木構造であり、双方向性は、上の階層のノードと下の階層のノードとの通信を可能にするために提供されねばならない。つまり、ネットワークの木構造の根のより近くに設けられたノードは、配電網の枝に設けられたノードと通信可能である。
【００３０】
平面的なネットワークは、全てのノード２が階層の同じ深さに属するネットワークであって、８０２．１ｑ標準により考えられる唯一のシナリオである。複合的なネットワークは、両種類のネットワークが存在するネットワークであって、８０２．１ｑ標準および本発明に記載された方法により得られるＯＶＬＡＮネットワークをサポートするネットワーク用のシナリオである。トポロジーのこの多様性は、図２に２つの仮想ネットワークＶＬＡＮ＿ＡおよびＶＬＡＮ＿Ｂとして示されており、両方とも８０２．１ｑ標準にしたがい、種々のＯＶＬＡＮネットワークと共存する。このＯＶＬＡＮネットワークは本発明の手順にしたがい、ＶＬＡＮ＿Ａ、ＶＬＡＮ＿Ｂの中のＯＶＬＡＮ１からＯＶＬＡＮ３として参照される。この図では、ＶＬＡＮ＿Ａに属する全てのノード２がこのＶＬＡＮ＿Ａに属するフレームを送受信する。他方、ＯＶＬＡＮ２の中のＯＶＬＡＮ１のノードは、例え両方とも同じＶＬＡＮ＿Ａに属していてもＯＶＬＡＮ２のトラフィックを受信しない。
【００３１】
図２では、主要なネットワークが参照番号５により示されていて、その中の主要なネットワーク５と配電網との間の通信をするスイッチ６が示されていて、一般的に上記スイッチは、中電圧から低電圧の変圧器の中に好ましくは位置するヘッドエンド装置である。スイッチ６は、ＯＳＩ層の考え方により、主要なネットワーク５およびネットワークの一部または他の部分の間のスイッチングを実行する。
【００３２】
他方では、参照番号７はＯＳＩアーキテクチャのネットワーク層の装置であるルータを示していて、ルーティング方法により直接接続されていない２つの装置間の通信を可能にする。それは、上記主要なネットワークに接続されていない異なるＯＶＬＡＮに属するノードと通信するのにも使用可能である。
【００３３】
本発明の方法は低電圧網に限定されないけれども、たとえ階層構造をもっていなくても、他のネットワークでも使用可能である。
【００３４】
中電圧から低電圧への変圧器の中に通信ノードを設けることは可能である。そこでは通信ネットワークは、図３に示されているように、中電圧のリングを使用して形成可能である。上記の図では、複数のリング８が光ファイバーネットワーク９越しに接続された典型的なシナリオが示されている。低電圧網が、図１に示されているネットワークと同様に中電圧リングの各変圧器６からつながっていることにより、本発明の方法が実現可能である。簡単にするため、これらの図は、種々のＯＶＬＡＮの一部を形成する低電圧の中の一部の一連のノードを示すのみである。これらのＯＶＬＡＮは、一般的に、重ね合わせることができるか、図１のネットワークと同様に、種々の深さの階層的構造が可能である。もし重ね合わされるとすると、そのネットワークは異なる種類のトラフィックに関して、異なるＯＶＬＡＮを使用可能であって、この方法で複数のノードを分割する。
【００３５】
図３の例のように、ネットワークは重ね合わされるけれども、一般的な実現にこの方法は必要ない。
【００３６】
低電圧網は、通常２００から５００の接続された装置をもつ。各中電圧網の中では、約３０の中電圧から低電圧への変圧器があり、さらに、中電圧を接続する光ファイバーネットワークが、おおよそグループに接続されている傾向がある。
【００３７】
したがって、各リングにつながった末端の装置の数を増やすと、ノードの数が多すぎて、８０２．１ｑ標準にしたがってノードを分割することは不可能であることが分かる。しかし、本発明の方法のＯＶＬＡＮと組み合わせての標準のＶＬＡＮの使用は、配電網の中の階層を利用して、この分割を達成できる。
【００３８】
本発明の方法を使用して、もし、各低電圧網の中に最少の３つのＯＶＬＡＮが存在すると、各中電圧リングに関して全体で９０のＯＶＬＡＮが存在する。これは、複数のタグ付けを使用する可能性により、原理的に本発明の方法によりサポートできる。
【００３９】
このために、同じ深さのＯＶＬＡＮを認識するのに十分なビットをもっているので、２バイトのタグの使用で十分である。
【００４０】
タグ３の中の１６ビットのうち、ＯＶＬＡＮの数を分類するために１２ビットが使用され、各深さに４０９６の異なるＯＶＬＡＮが定義可能であることを暗示している。残りの４ビットは、システムの拡張を可能にする将来の用途のために予約されている。さらに、上にも示したように、イーサネットフレームは変更されないので、そのヘッダ４ａ、データ４ｂおよび巡回冗長符号４ｃ（ＣＲＣ）は、送信された元のまま維持され、標準プロトコル８０２．１ｑのサポートを可能にする。
【００４１】
このシナリオでは、正しいタグ付けがされていない主要なネットワーク上のトラフィックは、低電圧網に到達することができないけれども、中電圧リング８を伝搬でき、下に説明するように、低電圧網への伝搬に際してタグのフィルタリングが実行され、適切にタグ付けされていないフレームは破棄される。
【００４２】
許可されたタグのリストに含まれないか禁止されたタグのリストに含まれるかのタグ３をもつフレーム４が破棄されるように、許可されたタグおよび／または禁止されたタグのこのリスト関してはノードの中に含まれる。
【００４３】
図５は、本発明のＯＶＬＡＮネットワークをサポートする通信システムの中の各ノード内に必要とされるブロックおよび８０２．１ｑ標準により定義されるブロック、すなわち、フレーム４とともに含まれるタグ３およびイーサネットフレーム４の中に含まれるＶＬＡＮ情報を処理するためのブロックの一般的な図を示す。
【００４４】
したがって、第１のブロック（１０）は、ＯＶＬＡＮの中のタグの処理および入力制御用と予測され、もしフレーム４がタグをもっていなければ、適切な外部タグ３をフレーム４に割り当て、もしフレームがタグをもっているべきでないときにフレームがタグをもっているか、フレームがタグをもっているべきときなのにタグをもっていないかならばフレームを破棄できる。
【００４５】
一旦８０２．１ｑ標準の入力制御（１１）（もし稼働していれば）が実行されると、パケットは、そのパケットの出力インタフェースを選択するブロック（１２）でＯＳＩアーキテクチャの第２層（データリンク層）に送られる。
【００４６】
最後に、フレームの中のタグと許可された出力タグおよび禁止された出力タグのリストとを比較するため、タグにより、もし上記ノードが上記フレームの送信を実行すべきでないならばパケットを破棄するために、８０２．１ｑ標準（もし稼働していれば）の出力制御（１３）が実行され、タグ付けされたＯＶＬＡＮの出力制御（１４）も実行される。
【００４７】
結果として、第２層ブリッジを達成するブロック（１２）を実現するのに一般的に十分であり、８０２．１ｑ標準による入出力（１１および１３）およびＯＶＬＡＮによる入出力（１０および１４）を実現するブロックを切り離すか省略する可能性がある。８０２．１ｑの入力制御（１１）および８０２．１ｑの出力制御（１３）の使用を止めることができると同様に、入力制御（１０）および出力制御（１４）の使用を止めることができ、１以上の他の実現と独立して動作可能である利点をもつ。
【００４８】
ＯＶＬＡＮの実現は、配電網の内部ポートおよび外部ポートを考慮に入れ、それは、ポートが内部あるいは外部であるかによりふるまいが異なるという事実のため、標準に関する差異を構成しネットワークの重ね合わせができる。全てのタグは、初期設定で、外部ポートから出るときに削除される。配電網に接続されたノード間の接続を達成するために使用されるときは、ポートは内部であるけれども、ノードを配電網の外の任意のエンティティと通信させるために使用されるときは、ポートは外部である。
【００４９】
図６は、複合的なネットワークがサポートされた本発明の可能な実現方法のフローチャートを示す。
【００５０】
受信フレーム（１５）の中で、発信元のポートが検証され（１６）、またＯＶＬＡＮがこのノードで稼働しているか否かを調べるために検証（１７）がされる（つまり、ＯＶＬＡＮに関するフィルタリングおよび入力規則が実行されねばならない。肯定的な場合、フレームがタグをもつか否かの検証（１８）が実行され、上に説明したように適切なフレームは破棄される（１９）。
【００５１】
ノードの中のＯＶＬＡＮが稼働していない場合か、もしフレームが破棄された場合、検証（２０）が実行されて、ノードの中で８０２．１ｑ標準が稼働しているか否かが調べられる。つまり、標準の規則が適用されねばならぬか否かを検証する）。入力規則を調べる方法は、（２１）で実行され、それが必要な場合は、（２２）で破棄が実行される。
【００５２】
続いて、フレームの送信処理（２３）が実行される。一旦フレームが処理されてこのフレームが送信可能になると、検証（２４）が実行されて標準が稼働しているか否か調べ、肯定的な場合、必要ならばフレームを破棄する（２６）ためにリストの規則（２５）が適用される。標準が稼働していない場合またはフレームが破棄されない場合、検証（２７）が実行されてＯＶＬＡＮ規則を適用するか否かを調べ、もし適用するならば、フレームを破棄する（２９）リスト（２８）が適用される。
【００５３】
ノードの中でＯＶＬＡＮ規則が稼働していない場合、ＯＶＬＡＮ規則がフレームにより破棄されていない場合、フィルタリングされたフレームが得られ（３０）、送信が実行される（３１）。したがってこの図から、一般的に、もしＯＶＬＡＮネットワークが稼働しているならば、ＯＶＬＡＮ入出力規則が適用されるけれども、もし８０２．１ｑネットワークが稼働しているならば、この標準の入出力規則が適用されるといえる。もしフレームが、ＯＶＬＡＮの禁止された／許可された規則のうち、標準の許可された規則の１つを満たさないとすると、フレームを送信する処理中（２３）またはネットワークへフレームを送信する（３１）前に破棄される。
【００５４】
さらに、イーサネットフレーム内の１以上の外部タグの包含および本発明により指定される方法は、既に述べた標準にしたがっては実行不可能な、方向性をもつ階層的構造の達成を容易にする。図７では階層的図の例が示されている。この図は図２と類似しているけれども、矢印がネットワークにより達成された方向性を示している。同じ階層の方向性手段の装置は、同じＯＶＬＡＮに属していないので、Ｘが重ね合わされた矢印により図に表された互いの装置を見ることができない。これを可能にするため、上記装置はＯＳＩアーキテクチャのより上位層を使用せねばならない。すなわち、もし上記装置が同じＯＶＬＡＮに属しない場合およびその場合のみ、上記装置はＩＳＯアーキテクチャの第３層のルータ７を通過せずには通信できない。他方、これらと同じ装置は、上位の階層に属する装置を見ることができる。すなわち、それらの装置とパケットを送受信できる。上位の階層に属するノードは、図４に示されている外部タグ３と同じ構成だけれども、上記タグに関する特定の参照符号をもつ特別なタグを使用することにより、下位の階層にある装置にメッセージを送信できる。このタグはＡＬＬＶＬＡＮとして知られている。ノードに出入りする過程で、外部タグが一連の許可されたおよび禁止された値と比較される。したがって、もしフレームがＡＬＬＶＬＡＮタグをもっているならば、これらの処理は無視され、フレームが直接送信される。これにより、低電圧配電網の中のリストなどの木構造のリストの内容が減る。
【００５５】
同じ方法で、図７に示されているように、階層１のより高い位置にあるノードが、通信システムの直接接続されたノード宛の、または通信システムの他のノードを経由して、主要なネットワーク５からフレームを受信したとき、特別なＡＬＬＶＬＡＮタグがこれらのフレームに付加されるので、中間のノードが上記フレームを破棄するのを防ぎ、そのフレームのあて先方向が選択されるのにしたがい、任意の階層の任意の装置で受信可能である。
【図面の簡単な説明】
【００５６】
以下の図は、本発明の理解を容易にするために提供され、明細書および特許請求の範囲の統合部分を形成するけれども、本発明の原理を図示するが、それらを表したものに限定されない。
【図１】種々のＶＬＡＮの深さの定義された配電網越しの通信システムの典型的な木構造を示す図
【図２】仮想ネットワークが他の仮想ネットワークを含む場合もある仮想ネットワーク（ＶＬＡＮ）の複合図の例を示す図
【図３】中電圧および低電圧の変圧器が、プロプライエタリ仮想ネットワークが設けられた種々の低電圧網をサポートせねばならない光ファイバーリングネットワークにより通信するシナリオの例を示す図
【図４】イーサネットフレームに対して本発明にかかる外部のＯＶＬＡＮ識別番号タグをもって配電網越しに通信するシステムの内部フレームの構造を示す図
【図５】本発明の方法を実現可能にする全てのノードに含まれる物理ブロックを示す図
【図６】本発明の方法により予測されるＶＬＡＮ標準８０２．１ｑおよびＯＶＬＡＮを合わせてサポートする仮想ネットワークの複合的計画内の本発明の可能な実現方法のフローチャートを示す図
【図７】異なる階層からのノードの上および下への方向性が見られる階層的形状の仮想ネットワーク図を示す図
【符号の説明】
【００５７】
１  根
２  ノード
３  識別番号（外部）タグ
４  フレーム
５  主要なネットワーク
６  スイッチ
７  ルータ
８  中電圧リング
９  光ファイバーネットワーク
１０  ＯＶＬＡＮの入力制御
１１  ８０２．１ｑ標準の入力制御
１２  出力インタフェースを選択して第２層ブリッジを達成するブロック
１３  ８０２．１ｑ標準の出力制御
１４  ＯＶＬＡＮの出力制御
１５  受信フレーム
１６  発信元のポートの検証
１７  ＯＶＬＡＮがこのノードで稼働しているか否かを調べるための検証
１８  フレームがタグをもつか否かの検証
１９  適切なフレームの破棄
２０  ノードの中で８０２．１ｑ標準が稼働しているか否かを調べるための検証
２１  入力規則を調べる方法の実行
２２  入力規則を調べる方法の実行が必要な場合は、破棄の実行
２３  フレームの送信処理
２４  標準が稼働しているか否か調べる検証の実行
２５  リストの規則の適用
２６  標準が稼働しているか否か調べる検証の結果が肯定的な場合、フレームの破棄の実行
２７  ＯＶＬＡＮ規則を適用するか否かを調べる検証の実行
２８  フレームを破棄するリストの適用
２９  ＯＶＬＡＮ規則を適用するか否かを調べる検証の結果、もし適用するならばフレームの破棄の実行
３０  フィルタリングされたフレームが得られる
３１  ネットワークへのフレームの送信
【図１】
2006502637.tif 000003
【図２】
2006502637.tif 000004
【図３】
2006502637.tif 000005
【図４】
2006502637.tif 000006
【図５】
2006502637.tif 000007
【図６】
2006502637.tif 000008
【図７】
2006502637.tif 000009
【国際調査報告】
2006502637.tif 000010
2006502637.tif 000011
2006502637.tif 000012
2006502637.tif 000013